(57)【要約】 【課題】  病院から排出された医療排出物が各業者によって滅菌および油化処理されたという確認手段が整備されたトレーサビリティ技術を提供する。【解決手段】  第一識別子が貼付された空容器６０に、病院１から出された医療排出物が排出され、排出用容器５０となった空容器６０を、減容処理装置２１を積載した車両２０で回収し、滅菌減容処理後に回収した排出用容器５０を油化プラント２へ運搬し、油化処理装置７０によって油化処理が実施されるシステムである。減容処理の際に排出用容器５０に付与された第一識別子を読み込み、滅菌減容処理を実施したことを証明可能な滅菌減容証明用データを作成する。また、油化処理の際には、減容後容器に付与された第二識別子を読み込み、油化処理を実施したことを証明可能な油化処理証明用データを作成する。これらの証明用データは、病院１や排出物滅菌処理業者に送信される。【選択図】  図１
2007034558.tif 000002
【特許請求の範囲】
【請求項１】
第一識別子が貼付された空容器に、病院から排出された医療排出物が排出され、排出用容器となった空容器を、滅菌減容処理を可能な減容処理装置を積載した車両で回収し、滅菌減容処理後に回収した排出用容器を油化プラントへ運搬し、油化処理装置によって油化処理が実施される医療排出物トレーサビリティシステムであって、
前記病院に設置された病院側端末装置と、前記減容処理装置における業者側端末装置と、前記油化処理装置におけるプラント側端末装置とが通信ネットワークによって接続されており、
前記減容処理装置は、前記排出用容器に付与された第一識別子を読み込む第一識別子読み込み手段と、
その読み込んだ第一識別子から滅菌減容処理を実施したことを証明可能な滅菌減容証明用データを作成する滅菌減容証明用データ作成手段と、
前記減容処理装置が滅菌減容処理を実施した後に、前記業者側端末装置が前記病院側端末装置に対して滅菌減容証明用データを送信する滅菌減容証明用データ送信手段と、
滅菌減容処理された減容後容器に対し、第二識別子を貼付する第二識別子貼付手段と、を備え、
その第二識別子が貼付された減容後容器を前記車両にて油化プラントへ運搬され、
前記油化プラントにおける油化処理装置は、前記減容後容器に付与された第二識別子を読み込む第二識別子読み込み手段と、
その読み込んだ第二識別子から油化処理を実施したことを証明可能な油化処理証明用データを作成する油化処理証明用データ作成手段と、
前記油化処理装置が油化処理を実施した後に、前記プラント側端末装置が前記病院側端末装置に対して油化処理証明用データを送信する油化処理証明用データ送信手段と、を備え、
前記病院側端末装置は、業者側端末装置から送信された滅菌減容証明用データと、プラント側端末装置から送信された油化処理証明用データとを受信する証明データ受信手段と、を備えたことを特徴とする医療排出物トレーサビリティシステム。
【請求項２】
前記第一識別子はバーコードであるとともに、そのバーコードが粘着シート状のバーコードシートとして形成され、
前記第一識別子読み込み手段はバーコードリーダとして形成され、そのバーコードリーダが読み込んだバーコードを記憶するバーコード記憶部を備えたことを特徴とする請求項１記載の医療排出物トレーサビリティシステム。
【請求項３】
前記第二識別子はＲＯＭ領域にユニークＩＤが記憶されたＩＣチップであって、
そのＩＣチップはシート状のＩＣチップ埋設シートとして形成され、
前記第二識別子読み込み手段は前記ユニークＩＤを取得可能なＩＤ取得部として形成されていることを特徴とする請求項１記載の医療排出物トレーサビリティシステム。
【請求項４】
前記油化処理証明用データ送信手段は、前記業者側端末装置に対しても前記油化処理証明データを送信することを特徴とする請求項１記載の医療排出物トレーサビリティシステム。
【請求項５】
前記滅菌減容証明データは、第一識別子、空容器の設置年月日、排出用容器の回収日、排出用容器の滅菌減容処理日およびサービス対象の病院名の各データを含んで構成されていることを特徴とする請求項１記載の医療排出物トレーサビリティシステム。
【請求項６】
前記油化処理証明データは、第一識別子、第二識別子、減容後容器の油化処理日および油化処理が実施されたプラント名の各データを含んで構成されていることを特徴とする請求項１記載の医療排出物トレーサビリティシステム。
【請求項７】
前記病院側端末装置、業者側端末装置およびプラント側端末装置のいずれかに接続されたＷｅｂサーバを備えるとともに、
当該Ｗｅｂサーバに前記滅菌減容証明データおよび油化処理証明データを送信する証明データ送信手段と、
その証明データをＷｅｂサイト上にて公開し、不特定多数のユーザからのアクセスを可能としたことを特徴とする請求項１記載の医療排出物トレーサビリティシステム。
【請求項８】
前記業者側端末装置は、前記空容器の在庫量が記憶された在庫量データベースと、
前記車両に積載された空容器が搬入先の病院に設置された際に、その設置数量を送信可能な送信用端末装置から受信する空容器設置数量受信手段と、を備え、
空容器設置数量受信手段が受信した空容器の設置数量と前記在庫量データベース内に記憶されている空容器の在庫量とを比較演算する在庫量確認手段と、
その在庫量確認手段が予め定められた空容器の所定数量よりも、空容器の在庫量が減少していると判別した場合に、空容器製造業者に対して空容器が所定数量になるように空容器を発注する空容器発注送信手段と、
を備えたことを特徴とする請求項１から請求項７のいずれかに記載の医療排出物トレーサビリティシステム。
【発明の詳細な説明】
【技術分野】
【０００１】
本発明は、排出物について回収し、減容処理し、油化処理するといった各段階についてのトレーサビリティを実現するための技術に関する。
【背景技術】
【０００２】
従来、医療現場で発生する感染性医療排出物は、当該排出物を収容するための所定の容器に入れられて収容される。滅菌処理には、焼却処理や薬物処理、若しくは高温、高圧の蒸気処理といった各種の処理方法が存在する。
【０００３】
そこで、特許文献１に記載されるような技術が開発された。この技術によれば、引火点及び発火点がプラスチックの溶融点よりも高い性質を持つ油を使用し、加熱したこの油の中にその殆どがプラスチックで占められている上記の感染性医療排出物を一定時間浸漬する。そのことによって、滅菌及び溶融した後、冷却して固相プラスチックとして回収することができる。そして、回収された固相プラスチックは油化プラントへ運搬されて油化され、資源の再利用が達成される。
【０００４】
【特許文献１】特開２０００−７８２０号公報
【発明の開示】
【発明が解決しようとする課題】
【０００５】
一方、感染性医療排出物が排出および滅菌処理されてから油化処理されるまでの各過程は、それぞれ当業者のみによって処理される。したがって、処理が確実に行われたか、等の状況は、外部からは客観的に把握できない。
すなわち、病院が排出した医療排出物が確実に排出および滅菌処理されたか否かの確認手段が整備されていないため、病院側にとっての不安材料になっていた。
また、排出処理業者にとっても排出、滅菌処理を遂行したという証明手段がなかった。
さらに、排出処理業者は、滅菌処理した医療性排出物を油化処理業者に受け渡すのみであって、その後、油化処理業者によって確実に油化処理されたか否かの確認手段も整備されていなかった。
【０００６】
本発明が解決しようとする課題は、病院から排出された医療排出物が各業者によって滅菌および油化処理されたという確認手段が整備されたトレーサビリティ技術を提供することにある。
【課題を解決するための手段】
【０００７】
（請求項１）
請求項１に記載の発明は、第一識別子(30)が貼付された空容器(60)に、病院(1)から排出された医療排出物が排出され、排出用容器(50)となった空容器(60)を、滅菌減容処理を可能な減容処理装置(21)を積載した車両(20)で回収し、滅菌減容処理後に回収した排出用容器(50)を油化プラント(2)へ運搬し、油化処理装置(70)によって油化処理が実施される医療排出物トレーサビリティシステムである。
前記病院に設置された病院側端末装置と、前記減容処理装置(21)における業者側端末装置と、前記油化処理装置(70)におけるプラント側端末装置とが通信ネットワークによって接続されており、前記減容処理装置(21)は、前記排出用容器(50)に付与された第一識別子(30)を読み込む第一識別子読み込み手段(23)と、その読み込んだ第一識別子(30)から滅菌減容処理を実施したことを証明可能な滅菌減容証明用データを作成する滅菌減容証明用データ作成手段と、前記減容処理装置(21)が滅菌減容処理を実施した後に、前記業者側端末装置が前記病院側端末装置に対して滅菌減容証明用データを送信する滅菌減容証明用データ送信手段と、滅菌減容処理された減容後容器(50b)に対し、第二識別子(40)を貼付する第二識別子貼付手段(25)と、を備え、その第二識別子(40)が貼付された減容後容器(50b)を前記車両(20)にて油化プラント(20)へ運搬され、前記油化プラント(2)における油化処理装置(70)は、前記減容後容器(50b)に付与された第二識別子(40)を読み込む第二識別子読み込み手段(72)と、その読み込んだ第二識別子(40)から油化処理を実施したことを証明可能な油化処理証明用データを作成する油化処理証明用データ作成手段と、前記油化処理装置(70)が油化処理を実施した後に、前記プラント側端末装置が前記病院側端末装置に対して油化処理証明用データを送信する油化処理証明用データ送信手段と、を備え、前記病院側端末装置は、業者側端末装置から送信された滅菌減容証明用データと、プラント側端末装置から送信された油化処理証明用データとを受信する証明データ受信手段と、を備えた医療排出物トレーサビリティシステムに係る。
【０００８】
（用語説明）
「第一識別子」とは、空容器の個体識別を可能とする管理コードや識別コードなどのことであり、例えば、一次元バーコード、二次元バーコードなどがある。なお、この第一識別子は予め空容器に貼付されており、別途、管理対照表などによって管理されている。
「空容器」とは、医療排出物が排出される前の状態の容器を示す。
「排出用容器」とは、空容器に医療排出物が排出された後の状態の容器を示す。
「減容後容器」とは、排出用容器が減容処理装置によって滅菌減容処理された後の状態の容器を示す。
「第二識別子」とは、滅菌減容後の空容器（減容後容器）を個体識別可能な識別コードなどのことである。例えば、ＩＤによって管理されるＩＣチップなどの形態がある。
「第一識別子読み込み手段」とは、第一識別子を読み込む機能を有するものであり、例えば、バーコードリーダなどがある。
「第二識別子読み込み手段」とは、第二識別子を読み込む機能を有するものであり、例えば、無線によって第二識別子を読み込むＩＤリーダなどがある。
【０００９】
（作用）
減容処理装置の第一識別子読み込み手段が、排出用容器に付与された第一識別子を読み込む。
読み込んだ第一識別子から滅菌減容処理を実施したことを証明可能な滅菌減容証明用データを作成する。（減容処理の開始信号または終了信号などをトリガーとして滅菌減容証明用データを作成する。）
作成した滅菌減容証明用データは、業者側端末装置から病院側端末装置に送信する。
また、第二識別子貼付手段が滅菌減容処理された減容後容器に対し、第二識別子を貼付する。
油化処理装置の第二識別子読み込み手段が、減容後容器に付与された第二識別子を読み込む。
読み込んだ第二識別子から油化処理を実施したことを証明可能な油化処理証明用データを作成する。（油化処理の開始信号または終了信号などをトリガーとして油化処理証明用データを作成する。）
病院側端末装置は、業者側端末装置から送信された滅菌減容証明用データと、プラント側端末装置から送信された油化処理証明用データとを受信する。
すなわち、病院から排出された医療排出物が、第一識別子が貼付された空容器に入れられ、減容処理装置で滅菌減容処理されると、その滅菌減容処理を実施したという証明データを病院側端末装置に送信する。病院は、滅菌減容証明用データを受信することで、自らの病院から排出された医療排出物が確実に滅菌減容処理されたという証明データを保持することができる。
また、滅菌減容処理された減容後容器が、油化処理装置によって油化処理されると、その油化処理されたという証明データを病院側端末装置に送信する。病院は、油化処理証明データを受信することで、自らの病院から排出された医療排出物が滅菌減容処理後、確実に油化処理されたという証明データを保持することができる。したがって、病院にとっては、病院から排出された医療排出物が滅菌減容処理される過程と、その後に油化処理されるまでの過程を把握することができるため、安全かつ衛生的な管理体制を実施しているという証明を内外部に証明可能となる。
【００１０】
（請求項２）
請求項２に記載の発明は、請求項１記載の医療排出物トレーサビリティシステムを限定したものであり、前記第一識別子がバーコードであるとともに、そのバーコードが粘着シート状のバーコードシート(30)として形成され、前記第一識別子読み込み手段がバーコードリーダ(23)として形成され、そのバーコードリーダが読み込んだバーコードを記憶するバーコード記憶部(24)を備えたことを特徴とする。
「バーコード」とは、いわゆる二次元バーコードであってもよい。
【００１１】
（作用）
請求項２記載の発明では、バーコードリーダが粘着シート状に形成されたバーコードシートのバーコードを読み込み、これをバーコード記憶部に記憶することで、空容器（排出用容器）の管理を容易にする。また、バーコードを粘着シート状に形成することで、容器に対して粘着シールによって貼付可能となるため、貼付性を高めることができる。
【００１２】
（請求項３）
請求項３に記載の発明は、請求項１記載の医療排出物トレーサビリティシステムを限定したものであり、前記第二識別子がＲＯＭ領域にユニークＩＤが記憶されたＩＣチップ(41)であって、そのＩＣチップ(41)がシート状のＩＣチップ埋設シート(40)として形成され、前記第二識別子読み込み手段が前記ユニークＩＤを取得可能なＩＤ取得部(72)として形成されていることを特徴とする。
【００１３】
（用語説明）
「ユニークＩＤ」とは、他のオブジェクトや媒体と重複しないように生成されたＩＤのことである。
（作用）
請求項３記載の発明では、ＩＤ取得部がＩＣチップのＲＯＭ領域に記憶されたユニークＩＤを読み込む。読み込んだユニークＩＤは、予めＩＤ記憶部に記憶されており、その整合性や正当性をチェックする。すなわち、書き換え不可能なＲＯＭ内のユニークＩＤを減容後容器の識別に使用することで、チェック機能を向上させることができる。これにより、トレーサビリティの証明能力を向上させるとともに、油化処理によってリサイクル委託料などを不正受領するなどの不正行為防止にも寄与する。
【００１４】
（請求項４）
請求項４に記載の発明は、請求項１記載の医療排出物トレーサビリティシステムを限定したものであり、前記油化処理証明用データ送信手段は、前記業者側端末装置に対しても前記油化処理証明データを送信することを特徴とする。
【００１５】
（作用）
請求項４記載の発明では、業者側端末装置が油化処理証明データを受信可能とすることで、滅菌減容処理を実施した排出物処理業者は、その後の油化処理が確実に実施されたか否かの報告を受けることできる。したがって、安全な管理体制を実施している排出物処理業者としての社会的地位を確保することできるため好ましい。
なお、ＩＣチップを使用する利点としては、ユニークＩＤと空容器を設置した病院とをサーバなどの端末装置で関連付けしておくことができるので、管理面で容易となるほか、非常に小型な形態であるため、減容後容器への埋設を容易とする。
【００１６】
（請求項５）
請求項５に記載の発明は、請求項１記載の医療排出物トレーサビリティシステムを限定したものであり、前記滅菌減容証明データは、第一識別子、空容器の設置年月日、排出用容器の回収日、排出用容器の滅菌減容処理日およびサービス対象の病院名の各データを含んで構成されていることを特徴とする。
【００１７】
（作用）
請求項５に記載の発明では、滅菌減容証明データに、トレーサビリティの証明に必要十分なデータが保持されていることで、公的機関や第三者機関などに対する証明能力が確保される。
【００１８】
（請求項６）
請求項６に記載の発明は、請求項１記載の医療排出物トレーサビリティシステムを限定したものであり、前記油化処理証明データは、第一識別子、第二識別子、減容後容器の油化処理日および油化処理が実施されたプラント名の各データを含んで構成されていることを特徴とする。
【００１９】
（作用）
請求項６に記載の発明では、油化処理証明データに、トレーサビリティの証明に必要十分なデータが保持されていることで、公的機関や第三者機関などに対する証明能力が確保される。
【００２０】
（請求項７）
請求項７に記載の発明は、請求項１記載の医療排出物トレーサビリティシステムを限定したものであり、前記病院側端末装置、業者側端末装置およびプラント側端末装置のいずれかに接続されたＷｅｂサーバを備えるとともに、当該Ｗｅｂサーバに前記滅菌減容証明データおよび油化処理証明データを送信する証明データ送信手段と、その証明データをＷｅｂサイト上にて公開し、不特定多数のユーザからのアクセスを可能としたことを特徴とする。
【００２１】
（作用）
請求項７に記載の発明では、本システムが管理運営するＷｅｂサイトに滅菌減容証明データおよび油化処理証明データを公開することで、インターネット上からも安全かつ衛生的な管理体制を実施しているという証明を実現することができる。
【００２２】
（請求項８）
請求項８に記載の発明は、請求項１から請求項７のいずれかに記載の医療排出物トレーサビリティシステムを限定したものであり、前記業者側端末装置は、前記空容器の在庫量が記憶された在庫量データベースと、前記車両に積載された空容器が搬入先の病院に設置された際に、その設置数量を送信可能な送信用端末装置から受信する空容器設置数量受信手段と、を備え、空容器設置数量受信手段が受信した空容器の設置数量と前記在庫量データベース内に記憶されている空容器の在庫量とを比較演算する在庫量確認手段と、その在庫量確認手段が予め定められた空容器の所定数量よりも、空容器の在庫量が減少していると判別した場合に、空容器製造業者に対して空容器が所定数量になるように空容器を発注する空容器発注送信手段と、を備えたことを特徴とする。
【００２３】
「送信用端末装置」とは、空容器に貼付されたバーコードを読み込むバーコードリーダや、携帯電話などのモバイル端末装置を用いて設置した空容器の数量を入力し、業者側端末装置に送信するような形態がある。
【００２４】
（作用）
請求項８に記載の発明は、空容器の在庫量を管理する在庫管理システムである。すなわち、病院に空容器を搬入した業者が送信用端末装置（携帯電話）を用いて、その数量を業者側端末装置に送信する。業者側端末装置は送信用端末装置からの空容器の設置数量を受信する。そして、在庫量確認手段が空容器の設置数量と在庫量データベース内に記憶されている空容器の在庫量とを比較する。ここで、予め定められた空容器の所定数量よりも、空容器の在庫量が減少していると判別された場合に空容器製造業者に対して空容器が所定数量になるように空容器を発注する。
空容器の数量を予め設定しておけば、排出物処理業者にストックされるべく空容器の数量が増減しても、在庫増や供給不能にならない。したがって、効率的な運営に寄与する。
【発明の効果】
【００２５】
請求項１から請求項８に記載の発明によれば、病院から排出された医療排出物が各業者によって滅菌および油化処理されたという確認手段が整備されたトレーサビリティ技術を提供することができた。
【発明を実施するための最良の形態】
【００２６】
以下、図１から図１２を参照して、本願発明の実施形態について説明する。図１は、本発明の医療排出物トレーサビリティシステムの全体構成を示した概略図であり、図２は、バーコードシートおよびＩＣチップ埋設シートの形態を示した概略図であり、図３は、空容器の設置箇所を把握するための管理対照表であり、図４は、減容処理装置の構成を示す概略図であり、図５は、滅菌減容処理証明書を示す図であり、図６は、油化処理装置の構成を示す概略図であり、図７および図８は、油化処理証明書を示す図であり、図９および図１０は、医療排出物トレーサビリティシステムの一連の処理手順を示したフローチャートであり、図１１は、本発明の医療排出物トレーサビリティシステムの他の形態を示した概略図であり、図１２は、医療排出物トレーサビリティシステムの他の形態の処理を示したフローチャートである。
【００２７】
図１に示すように、医療排出物トレーサビリティシステムは、医療排出物を排出する病院１と、排出された医療排出物を回収する排出物滅菌処理業者であるトラック２０と、そのトラック２０によって滅菌減容処理された医療排出物を油化処理する油化処理業者である油化プラント２とから構成され、医療排出物入りの排出用容器５０を、医療排出物を滅菌および減容可能な減容処理装置２１を積載したトラック２０が回収し、減容処理装置２１の滅菌減容機能によって排出用容器５０が滅菌減容処理される。そして、固相プラスチック化された排出用容器５０を油化プラント２の油化処理設備によって油化処理され、重油等の資源として再利用されるリサイクル機能を備えたシステムである。
【００２８】
ここで、トレーサビリティシステムとは、医療排出物が排出されてから滅菌、減容および油化処理されるまでの各過程を明確にするためのシステムであり、本実施形態では、各処理によって異なる識別シートを排出用容器５０および減容後容器５０ｂに貼付することで、トレーサビリティシステムを実現している。以下、詳細に説明していく。
【００２９】
（トラック）
トラック２０は、病院１から排出された医療排出物を油化プラント２まで運搬する車両であって、トラック２０の荷台には、医療排出物を滅菌および減容処理可能な減容処理装置２１と、その減容処理装置２１に稼働電力を供給する発電機２２と、各病院に医療排出物を排出可能な空容器６０および各病院から回収した排出用容器５０とを載置する荷物スペースとを備えている。
【００３０】
（バーコードシート）
図２（ａ）は、排出用容器５０および空容器６０に識別シートが貼付された形態を示している。この識別シートは、滅菌減容処理時に排出用容器５０および空容器６０を個体識別できるものであれば良いので、その形態を問うものではないが、例えば、裏面などの一部にシール状の接着部を有し、表面に所定の番号が表示された識別シート、当該識別シートに一次元バーコードを付与したもの、または二次元バーコードを付与したものなどがある。本実施形態では、一次元バーコード付きの識別シート（以下、バーコードシートと表示する）３０を採用している。
【００３１】
バーコードシート３０は、複数の空容器６０に予め貼付されており、後述するバーコードリーダで読み取り可能な一次元バーコード（第一識別子）および空容器６０の外観からも識別可能な管理ナンバー（01,02,03・・・）が付与されている。そして、このバーコードシート３０を貼付させた空容器６０を、排出物滅菌処理業者が病院１に設置させていくわけだが、本実施形態では、いつ、どの病院にどの空容器６０を設置したかを後からも把握可能とするための［管理対照表］を作成している。
【００３２】
図３に管理対照表の一例を示す。この管理対照表には、管理ナンバー、設置年月日、回収予定日および設置病院名からなる各記載項目が用意されており、［No.01］から［No.03］は、２００５年６月１０日にＡＢ病院に設置し、２週間後の６月２４日に回収予定となっている。また、［No.04］から［No.06］は、２００５年６月１１日にＣＤ病院に設置し、２週間後の６月２５日に回収予定となっている。この管理対照表を作成しておくことで、空容器６０の回収を容易に実施することができる。また、管理対照表のデータをパーソナルコンピュータ、ワークステーションおよびデータベースサーバ等に入力するとともに、インターネットやイントラネット等の電気通信回線で接続された他の端末装置にデータを送信するようにしても良い。
なお、病院１において回収予定日よりも早くに医療排出物が溜まってしまった場合には、排出物滅菌処理業者に回収依頼をすれば良い。すなわち、医療排出物入りの排出用容器５０を回収するとともに、新しい空容器６０を設置されることになる。
【００３３】
（ＩＣチップ埋設シート）
図２（ｂ）は、滅菌減容処理された減容後容器５０ｂに、ＩＣチップ埋設シート４０が付与された形態を示している。ＩＣチップ埋設シート４０は、その裏面に減容後容器５０ｂに接着可能な接着部を有するシート状を形成し、シート内部に無線通信機能とＲＯＭ機能を備えたＩＣチップ４１（第二識別子）が埋設されている。このＩＣチップ４１は、ＲＯＭにＩＣチップ４１の個体識別を可能とするユニークＩＤ（A-001、A-002・・・）のみが記憶されたシンプルなチップ構成となっている。なお、ユニークＩＤとは、他のオブジェクトや媒体と重複しないように生成されたＩＤのことである。
【００３４】
ＩＣチップ埋設シート４０は、油化プラント２の油化処理装置７０に設置されたＩＤ取得部７２（第二識別子読み込み手段）によってＲＯＭ内のユニークＩＤが読み出され、ＩＤ取得部７２に接続されたＩＤ記憶部７３にユニークＩＤが記憶される。なお、ＩＣチップを使用する利点としては、ユニークＩＤと空容器を設置した病院とをサーバなどの端末装置で関連付けしておくことができるので、管理面で容易となるほか、非常に小型な形態であるため、減容後容器への埋設を容易とするため好ましい。
【００３５】
（減容処理装置）
図４に示すように、減容処理装置２１は、滅菌処理および減容処理を実施するための機能を有するとともに、排出用容器５０を減容処理装置２１に投入する投入口２７に、排出用容器５０のバーコードシート３０のバーコードを読み取り可能なバーコードリーダ２３（第一識別子読み込み手段）と、そのバーコードリーダ２３が読み取ったバーコードを記憶するバーコード記憶部２４を備えて構成されている。なお、バーコードデータの読み取り精度を上げるために、投入口２８にバーコードリーダ２３を複数備えていても良い。例えば、投入口の上下面や周面に設置する。このようにすれば、投入口２７に排出用容器５０が乱雑に投げ込まれた場合でも、バーコードの読み取りが容易になる
【００３６】
また、減容処理後の減容後容器５０ｂに対しての個体識別を可能とするＩＣチップ埋設シート４０を貼付可能なチップ貼付装置２５を備えている。このチップ貼付装置２５は、減容処理装置２１の取り出し口２８付近に設置され、減容処理された減容後容器５０ｂに対して、順々にＩＣチップ埋設シート４０を貼付していく。減容後容器５０ｂにＩＣチップ埋設シート４０を貼付する場所は任意で良いが、チップ貼付装置２５が設置されている場所との関係で決定しても良い。例えば、チップ貼付装置２５が図４の位置に設置されている場合は、減容後容器５０ｂの上面が好ましい。もちろん、減容後容器５０ｂの周面や下面などの所定箇所でも良い。
【００３７】
ここで、排出用容器５０と減容後容器５０ｂとで、バーコードとＩＣチップという識別子を二回貼付している理由について説明する。排出用容器５０は、医療排出物が排出されない段階（空容器６０）で、すでにバーコードシート３０が貼付されている。これは、空容器６０の個体識別のほか、製造数や病院関係者が管理番号を目視にて確認できるような状態にするために必要な識別子となっている。
一方、減容後容器５０ｂでは、ＩＣチップ埋設シート４０が貼付されるわけだが、これは、滅菌減容処理による熱と圧縮作用によって、すでに貼付した排出用容器５０のバーコードシート３０が剥がれてしまい、バーコードが正常に機能しないことが理由である。
【００３８】
また、バーコードとＩＣチップ（ユニークＩＤ）という異なる種類の識別子としたのは、滅菌減容処理された減容後容器５０ｂの形状が平面にならず、凹凸状に崩れていることを考慮し、埋設が容易なＩＣチップを選択していることが理由である。また、ユニークＩＤという複製等の不正が困難な媒体を選択すれば、セキュリティ性を向上させることができることにもなるからである。
【００３９】
減容処理装置２１は、投入口２７に排出用容器５０が投入されると、バーコードリーダ２３がバーコードシート３０のバーコードを読み取り、これをバーコード記憶部２４に記憶する。そして、投入口２８から所定の滅菌処理および減容処理された減容後容器５０ｂは、取り出し口２８においてチップ貼付装置２５によってＩＣチップ埋設シート４０が貼付される。
なお、バーコードリーダ２３によって記憶されたバーコードは、滅菌減容処理が完了したという証明データや証明書（図１の滅菌減容処理証明書）として、病院１に通知または送信される。
【００４０】
（滅菌減容処理証明書）
図５は、滅菌減容処理証明書の一例である。滅菌減容処理証明書は、トラック２０が病院１から回収した排出用容器５０を滅菌減容処理した処理年月日が記載されている。本実施形態では、前述した［管理対照表］に基づいて作成されており、ＡＢ病院に空容器６０を設置した設置年月日、排出用容器５０を回収した回収日および滅菌減容処理を実施した年月日が記載されている。病院側は、この滅菌減容処理証明書をもとに自らの病院から排出された医療性排出物が確実に滅菌減容処理されたという証書となる。
【００４１】
なお、排出物滅菌処理業者は、コンピュータ（業者側端末装置）を用いて滅菌減容処理証明書をデジタルデータとして作成し、インターネット等で接続された病院側端末装置にデータを送信するようにしても良い。このようにすれば、公的機関に排出処理を実施したという証書をデジタルデータで証明したり、Ｗｅｂ上に情報公開してユーザにアピールしたりすることができる。
【００４２】
（油化プラント）
次に、ＩＣチップ埋設シート４０が貼付された減容後容器５０ｂは、トラック２０によって油化プラント２に運搬される。
図６に示すように、油化プラント２は、減容後容器５０ｂを油化処理することで重油、カーボンブラックおよびＬＧＰガスなどに生成可能とする油化処理機７４を有する油化処理装置７０が設置されている。この油化処理装置７０の油化処理入り口７１には、ＩＣチップ埋設シート４０のユニークＩＤを読み取るＩＤ取得部７２と、その読み取ったＩＣチップを記憶するＩＤ記憶部７３と、油化処理証明書を出力するための証明書出力部８０とを備えて構成される。
【００４３】
ＩＤ取得部７２は、ＩＣチップ内に予め記憶されているユニークＩＤを読み取る機能を有し、この読み取りは、無線電波によって読み取っているため、減容後容器５０ｂとの距離がある程度離れている場合でも読み取りを可能としている。
ＩＤ記憶部７３は、予めチップ貼付装置２５で貼付されたユニークＩＤが記憶されたＩＤデータベースである。これは、後述する油化処理証明書を出力する際に、ユニークＩＤの整合性を保持するためのものである。また、書き換え不可能なユニークＩＤを減容後容器５０ｂの識別に使用することで、チェック機能を向上させることができる。
【００４４】
証明書出力部８０は、ＩＤ記憶部７３に接続されており、ＩＤ取得部７２が読み取ったユニークＩＤが、チップ貼付装置２５で貼付されたＩＣチップのＩＤと同等であるか否かの整合性を判別する正規ＩＤ判別手段８１と、そのユニークＩＤが正規のものであると判別された場合に、油化処理証明書を発行する油化処理証書発行手段８２と、を備えている。
すなわち、正規ＩＤ判別手段８１がＩＤ記憶部７３にアクセスし、ＩＤ取得部７２が読み取ったユニークＩＤとＩＤ記憶部７３に予め記憶されたユニークＩＤとを比較し、同じＩＤであるか否かを判別する。ここで、整合性が確認されたら、油化処理証書発行手段８２が油化処理証明書を発行する。出力された油化処理証明書の一例を図７に示す。
【００４５】
（油化処理証明書）
油化処理証明書は、管理No、ＩＤ、油化処理日およびプラント施設名の少なくとも４項目が記載されている。ここでは、ユニークＩＤ［A-001］は、２００５年６月２６日に［ＸＹプラント］によって油化処理が実施された、というデータが記載されている。
すなわち、排出物滅菌処理業者にとっては、この油化処理証明書が、自らが滅菌減容処理して受け渡した減容後容器５０ｂが確実に油化処理されたという証書となる。
【００４６】
また、油化プラント業者は、コンピュータ（プラント側端末装置）を用いて油化処理証明書をデジタルデータとして作成し、インターネット等で接続された業者側端末装置にデータを送信するようにしても良い。このようにすれば、公的機関に滅菌減容処理を実施したという証書をデジタルデータで証明したり、Ｗｅｂ上に情報公開してユーザに適切な処理を実施している業者であることを証明したりすることができる。
【００４７】
また、図８は、病院用に特化した油化処理証明書の一例を示したものである。これは、空容器６０の設置年月日、回収日、ＩＤ、減容滅菌処理日および油化処理日などの一連の処理を証明するためのデータ形式となっている。この油化処理証明書も滅菌減容処理証明書と同様に、デジタルデータとして作成され、インターネット等で接続された病院側端末装置でデータを受信するようにし、公的機関への証書や、Ｗｅｂ上での情報公開に利用可能となる。
【００４８】
なお、各証明書には年月日のほか、処理を実施した時間、排出用容器５０および減容後容器５０ｂの重量、プラント施設の地域や規模などの各種データを追加するようにしても良い。また、各証明書は、病院および排出物滅菌処理業者に電子メールやＦＡＸなどの送信手段によって自動送信されるようにしても良い。
【００４９】
さらに、上記の各証明書のデータは、公的機関や第三者機関などが運営するＷｅｂサーバに送信され、Ｗｅｂサイト上で公開されるようにしても良いし、病院側端末装置、業者側端末装置およびプラント側端末装置のいずれかに接続されたＷｅｂサーバに公開されるようにしても良い。
例えば、業者側端末装置に接続されたＷｅｂサーバであれば、当該Ｗｅｂサーバに滅菌減容証明書のデータおよび油化処理証明書のデータを送信する証明データ送信手段を備え、その証明データをＷｅｂサイト上にて公開し、不特定多数のユーザからのアクセスを可能となっている。
すなわち、排出物滅菌処理業者が管理運営するＷｅｂサイトに滅菌減容証明データおよび油化処理証明データを公開することで、インターネット上からも安全かつ衛生的な管理体制を実施しているという証明を実現することができる。
【００５０】
なお、ＩＣチップ埋設シート４０に替えて、バーコードシート３０を減容後容器５０ｂに貼付するようにしても良い。ただし、ユニークＩＤが記憶されたＩＣチップ４１が埋設されたＩＣチップ埋設シート４０を減容後容器５０ｂに貼付することで、以下のような効果がある。すなわち、書き換え不可能なＲＯＭ内のユニークＩＤを減容後容器５０ｂの識別に使用すれば、セキュリティ性およびチェック機能に好適となる。これにより、トレーサビリティの証明能力を向上させるとともに、例えば、油化処理によってリサイクル委託料などを不正受領するなどの不正行為防止にも寄与する。
【００５１】
図９および図１０は、本システムの一連の処理手順および各証明書をデジタルデータにて送受信可能な実施形態を示したフローチャートである。
ここで、病院１には、病院側端末装置を備え、排出物滅菌処理業者には、業者側端末装置（減容処理装置２１）を備え、油化プラント２には、プラント側端末装置を備え、各端末装置には通信手段を備えるとともに、それぞれがインターネット回線で接続されてデータの送受信が可能なネットワークシステムが構築されているものとする。
【００５２】
まず、排出物滅菌処理業者は、空容器６０にバーコードシート３０を貼付する（Ｓ１０１）。
トラック２０にバーコードシート３０が貼付された空容器６０所定数積載し、依頼先の病院に設置する（Ｓ１０２）。
病院１では、病院職員が医療性排出物を空容器６０に排出していく（Ｓ１０３）。
排出物滅菌処理業者は、回収予定日になるか空容器６０が満タンになって病院からの回収依頼を受けると、トラック２０で排出用容器５０を回収するとともに、新しい空容器６０を病院に設置する（Ｓ１０４）。
回収した排出用容器５０は、減容処理装置２１の投入口２７から投入され、この際、バーコードリーダ２３がバーコードシート３０のバーコードを読み込む（Ｓ１０５）。
読み込んだバーコードデータは、バーコード記憶部２４に記憶されるとともに（Ｓ１０６）、取得済バーコードデータを作成する（Ｓ１０７）。
減容処理装置２１で滅菌減容処理が行われ（Ｓ１０８）、正常に処理が完了したか否かを判別する（Ｓ１０９）。正常に処理が終了していれば、病院側端末装置に取得済バーコードデータを送信する（Ｓ１１０）。
病院側端末装置は、取得済バーコードデータを受信し（Ｓ１１１）、そのデータを滅菌減容処理された証明データとして利用可能となる。
また、滅菌減容処理された減容後容器５０ｂは、取り出し口２８においてチップ貼付装置２５がＩＣチップ埋設シート４０を貼付させる（Ｓ１１２）。
トラック２０は、ＩＣチップ埋設シート４０が貼付された減容後容器５０ｂを油化プラント２に運搬する（Ｓ１１３）。
【００５３】
油化プラント２に運搬された減容後容器５０ｂは、油化処理入り口７１を通過する際に、ＩＤ取得部７２がＩＣチップ埋設シート４０のユニークＩＤを読み込む（Ｓ１１４）。
読み込んだユニークＩＤは、ＩＤ記憶部７３に記憶されるとともに（Ｓ１１５）、取得済ＩＤデータを作成する（Ｓ１１６）。
油化処理機７４で油化処理が行われ（Ｓ１１７）、正常に処理が完了したか否かを判別する（Ｓ１１８）。正常に処理が終了していれば、業者側端末装置に取得済ＩＤデータを送信する（Ｓ１１９）。業者側端末装置は、取得済ＩＤデータを受信する（Ｓ１２０）。排出物滅菌処理業者は、そのデータを油化処理された証明データとして利用可能となる。
また、病院側端末装置に対しても取得済ＩＤデータを送信する（Ｓ１２１）。病院側端末装置は、取得済ＩＤデータを受信する（Ｓ１２２）。病院は、そのデータを滅菌減容処理された証明データとして利用可能となる。
【００５４】
（油化処理後の再利用）
なお、滅菌減容処理された減容後容器５０ｂは、油化プラント２によって油化処理される。すなわち、排出物である減容後容器５０ｂをゴミとして扱わずリサイクル資源として利用されることになる。
また、油化処理された油は、油化プラント２から病院１に運搬されて各種燃料に利用されるようにしても良い。例えば、油化処理された油を病院の焼却炉の燃料に利用するなどが考えられる。このようにすれば、病院から発生した医療排出物が、滅菌、減容および油化処理され、最終的に病院施設の燃料として再利用されるスキームが構築されることになる。このようにすれば、非常にエコロジーかつ半永久的な循環機能を発揮できる優れたリサイクル構造が形成されるため好ましい。
【００５５】
なお、本実施形態では減容後容器５０ｂの油化処理を、油化処理業者（油化プラント２）によって油化処理されるように説明しているが、これに限定されることはない。例えば、排出物滅菌処理業者が、油化処理設備を備えており、当該油化処理設備によって減容後容器の油化処理を実施されるようにしても良い。つまり、医療排出物を病院から回収し、滅菌し、減容し、そして油化処理までの一連のリサイクル処理を実現可能な機能設備を備えることで、同一業者によって処理可能なシステムが構築される。 
【００５６】
（空容器の在庫管理）
図１１に示すには、上述した医療排出物トレーサビリティシステムにおける他の形態であり、病院に設置する空容器を製造する空容器製造業者に対して、排出物滅菌処理業者にストックされている空容器の在庫増減に応じて発注されるようにしたシステムである。
【００５７】
すなわち、業者側端末装置は、空容器６０の在庫量が記憶された在庫量データベースと、トラック２０に積載された空容器６０が搬入先の病院１に設置された際に、その設置数量を送信可能な携帯電話（送信用端末装置）から受信する空容器設置数量受信手段と、空容器設置数量受信手段が受信した空容器の設置数量と在庫量データベース内に記憶されている空容器の在庫量とを比較演算する在庫量確認手段と、その在庫量確認手段が予め定められた空容器の所定数量よりも、空容器の在庫量が減少していると判別した場合に、空容器製造業者に対して空容器が所定数量になるように空容器を発注する空容器発注送信手段と、を備えて構成される。
ここで、「携帯電話」とは、排出物滅菌処理業者が空容器に貼付されたバーコードを読み込む機能（バーコードリーダ機能）を備えた端末装置である。
【００５８】
図１２を参照して空容器の在庫管理手法を説明する。なお、排出物滅菌処理業者内の在庫数は、現在［４０コ］とし、病院に設置する空容器は［１５コ］とし、在庫数が［３０コ］以下となった場合に、空容器製造業者へ発注されるようになっている。
排出物滅菌処理業者は、病院１に空容器６０を［１５コ］設置する（Ｓ２０１）。
排出物滅菌処理業者は、送信用端末装置を用いて、業者側端末装置に病院１に［１５コ］の空容器を設置したデータを送信する（Ｓ２０２）。
業者側端末装置は送信用端末装置からの空容器６０の設置数量［１５コ］を受信する（Ｓ２０３）。
そして、在庫量確認手段が空容器の設置数量［１５コ］と在庫量データベース内に記憶されている空容器の在庫量［４０コ］とを比較する（Ｓ２０４）。ここで、予め定められた空容器の所定数量［３０コ］よりも、空容器６０の在庫量が減少していると判別する（Ｓ２０５）。
現在の在庫数は、［２５コ］であるため、空容器製造業者に対して空容器が所定数量［３０コ］になるように空容器を［５コ］発注する（Ｓ２０６）。
空容器製造業者は、空容器を［５コ］受注する（Ｓ２０７）。
【００５９】
すなわち、空容器６０の数量を予め設定しておけば、排出物滅菌処理業者にストックされるべく空容器の数量が増減しても、在庫増や供給不能にならないため、効率的な運営に寄与するため好ましい。
【産業上の利用可能性】
【００６０】
「排出物」について、特に医療現場で発生する注射器や点滴器具といった各種の要滅菌性排出物（感染性医療排出物）を主に想定して記述してきたが、回収、減容処理、油化処理という各段階を経る排出物であれば、採用することができる。
【図面の簡単な説明】
【００６１】
【図１】本発明の医療排出物トレーサビリティシステムの全体構成を示した概略図である。
【図２】バーコードシートおよびＩＣチップ埋設シートの形態を示した概略図である。
【図３】空容器の設置箇所を把握するための管理対照表である。
【図４】減容処理装置の構成を示す概略図である。
【図５】滅菌減容処理証明書を示す図である。
【図６】油化処理装置の構成を示す概略図である。
【図７】油化処理証明書を示す図である。
【図８】油化処理証明書（病院用）を示す図である。
【図９】医療排出物トレーサビリティシステムの一連の処理手順を示したフローチャートである。
【図１０】医療排出物トレーサビリティシステムの一連の処理手順を示したフローチャートである。
【図１１】医療排出物トレーサビリティシステムの他の形態を示した概略図である。
【図１２】医療排出物トレーサビリティシステムの他の形態の処理を示したフローチャートである。
【符号の説明】
【００６２】
１  病院                      ２  油化プラント
２０  トラック              ２１  減容処理装置
２２  発電機                ２３  バーコードリーダ
２４  バーコード記憶部      ２５  チップ貼付装置
２７  投入口                ２８  取り出し口
３０  バーコードシート
４０  ＩＣチップ埋設シート  ４１  ＩＣチップ
５０  排出用容器            ５０ｂ  減容後容器
６０  空容器
７０  油化処理装置          ７１  油化処理入り口
７２  ＩＤ取得部            ７３  ＩＤ記憶部
７４  油化処理機
８０  証明書出力部
【図１】
2007034558.tif 000003
【図２】
2007034558.tif 000004
【図３】
2007034558.tif 000005
【図４】
2007034558.tif 000006
【図５】
2007034558.tif 000007
【図６】
2007034558.tif 000008
【図７】
2007034558.tif 000009
【図８】
2007034558.tif 000010
【図９】
2007034558.tif 000011
【図１０】
2007034558.tif 000012
【図１１】
2007034558.tif 000013
【図１２】
2007034558.tif 000014